(57)【特許請求の範囲】
【請求項１】
隣接するプレキャストボックスカルバート間に短筒状の可撓止水継手を連結し、沈下側となる一方のプレキャストボックスカルバートを予め嵩上げして保持したプレキャスト可撓ボックスカルバートにおいて、
前記隣接するプレキャストボックスカルバート間の側壁部の前記可撓止水継手の膨らみを押える第1の膨らみ防止用押え部材を、嵩上げ前の隣接するプレキャストボックスカルバート間の一対のアンカーボルトの配列に合わせたボルト穴を備えた短冊状に形成し、当該第１の膨らみ防止用押え部材を隣接するアンカーボルト間に間隔をあけて取り付ける一方、
前記隣接するプレキャストボックスカルバート間の一方を嵩上げした状態の前記側壁部のアンカーボルトの配列に合わせた複数対のボルト穴を備えた第２の膨らみ防止用押え部材を略平行四辺形状に形成し、当該第２の膨らみ防止用押え部材を嵩上げ後の前記第1の膨らみ防止用押え部材に重ねてアンカーボルトに取り付け、
前記第１および前記第２の膨らみ防止用押え部材を嵩上げ前と嵩上げ後に分けて取り付けて構成したことを特徴とするプレキャスト可撓ボックスカルバート。
【請求項２】
前記隣接するプレキャストボックスカルバートのうち非沈下側のプレキャストボックスカルバートの天井部を、前記沈下側のプレキャストボックスカルバートの天井部よりも沈下量に対応する厚さだけ肉厚とし、前記沈下側のプレキャストボックスカルバートの床部を、非沈下側のプレキャストボックスカルバートの床部よりも沈下量に対応する厚さだけ肉厚とするとともに、嵩上げ状態では前記隣接するプレキャストボックスカルバートの上面および下面が同一平面を形成するように配置したことを特徴とする請求項１記載のプレキャスト可撓ボックスカルバート。
【請求項３】
隣接するプレキャストボックスカルバートの目地部間に短筒状の可撓止水継手を連結し、沈下側となる一方のプレキャストボックスカルバートを予め嵩上げした状態に保持するプレキャスト可撓ボックスカルバートの施工法において、
前記隣接するプレキャストボックスカルバート目地部間の側壁部の前記可撓止水継手の膨らみを押える第1の膨らみ防止用押え部材を、嵩上げ前の隣接するプレキャストボックスカルバート間の一対のアンカーボルトの配列に合わせたボルト穴を備えた短冊状に形成しておき、
当該第１の膨らみ防止用押え部材を隣接するアンカーボルト間に間隔をあけて取り付け、
前記隣接するプレキャストボックスカルバート間の一方を嵩上げした状態の前記側壁部のアンカーボルトの配列に合わせた複数対のボルト穴を備えた第２の膨らみ防止用押え部材を略平行四辺形状に形成しておき、
嵩上げ状態とした後、当該第２の膨らみ防止用押え部材を前記第１の膨らみ防止用押え部材に重ねてアンカーボルトに取り付け、
前記第１および前記第２の膨らみ防止用押え部材を嵩上げ前と嵩上げ後に分けて取り付けるようにしたことを特徴とするプレキャスト可撓ボックスカルバートの施工法。
【請求項４】
前記第２の膨らみ防止用押え部材の一端縁部を、前記第１の膨らみ防止用押え部材の一端縁部に重ねて取り付けた後、嵩上げし、次いで、当該第２の膨らみ防止用押え部材の他端縁部を前記第１の膨らみ防止用押え部材に重ねてアンカーボルトに取り付けるようにしたことを特徴とする請求項３記載のプレキャスト可撓ボックスカルバートの施工法。
【請求項５】
前記隣接するプレキャストボックスカルバートの目地部間には、一方のプレキャストボックスカルバートの端面に目地材を接着する一方、反接着側となる目地材の端面には、生分解グリースを塗布するようにした後、前記短筒状の可撓止水継手を連結するようにしたことを特徴とする請求項３または４記載のプレキャスト可撓ボックスカルバートの施工法。
【請求項６】
前記隣接するプレキャストボックスカルバートのうち非沈下側のプレキャストボックスカルバートの天井部は、前記沈下側のプレキャストボックスカルバートの天井部よりも沈下量に対応する厚さだけ肉厚とし、前記沈下側のプレキャストボックスカルバートの床部は、非沈下側のプレキャストボックスカルバートの床部よりも沈下量に対応する厚さだけ肉厚に形成しておき、
隣接するプレキャストボックスカルバート間の天井部および床部が同一平面を形成するように配置した後、これらプレキャストボックスカルバートの目地部間に前記可撓止水継手を連結するようにし、
次いで、隣接するプレキャストボックスカルバートの上面および下面が同一平面を形成するように嵩上げし、嵩上げ状態を固定金具により固定保持するようにしたことを特徴とする請求項３〜５のいずれかに記載のプレキャスト可撓ボックスカルバートの施工法。
【発明の詳細な説明】
【技術分野】
【０００１】
この発明はプレキャスト可撓ボックスカルバートおよびその施工法に関し、河川堤防を横断して設置され杭基礎等により支持される新設または既設の取水・排水用樋管等の剛支持構造物等の構造物に接続され、または継ぎ足され、予め沈下量を想定した嵩上げ状態としておくことで、不等沈下が生じても流路断面積を確保できるようにするもので、嵩上げ時の反力を低減できるようにしたものである。
【背景技術】
【０００２】
河川を利用した取水や排水のため、河川堤防の下を横断して取水・排水用樋管が設置されている。この樋管は、例えばＰＣコンクリートからなるボックスカルバートを連続して接続することにより構成される。
【０００３】
このような樋管を堤防下を横断して設置する場合には、通常、堤防下の樋管は杭基礎等によって支持されて剛支持構造とされるのに対し、堤防に隣接する地盤は、軟弱地盤であることが多い。
このような軟弱地盤で樋管が不等沈下すると、樋管を構成する接続されている二つのボックスカルバートの中の一つが他方に対して沈下することになり、両者の間に流路の有効断面積の差が生じ、必要な水の流量を確保できなくなるおそれがある。
【０００４】
そこで、新設または既設の剛支持構造の取水・排水用の樋管に接続され、または継ぎ足される軟弱地盤に設置される樋管を予め沈下量を想定した嵩上げ状態としておくことで、不等沈下が生じても両者間の流路の有効断面積の差を小さくすることが提案されている（特許文献1参照）。
このプレキャスト可撓ボックスカルバート１では、図５および図６に示すように、次の（あ）〜（う）の工程によって嵩上げ状態とする。なお、図では、左側が嵩上げ側（沈下側）である。
（あ）  剛支持構造とされる第１のプレキャストボックスカルバート２の天井板２ａを軟弱地盤に設置される沈下側の第２のプレキャストボックスカルバート３の天井板３ａよりも所定の厚さだけ肉厚とし、床板２ｂ、３ｂは逆に、沈下側の第２のプレキャストボックスカルバート３の床板３ｂを剛支持構造側の第１のプレキャストボックスカルバート２の床板２ｂよりも所定の厚さだけ肉厚とするようにしておく。
（い）  第１および第２のプレキャストボックスカルバート２，３をその内周面２ｃ，３ｃが同一平面を形成するように隣接して配置し、隣接するプレキャストボックスカルバート２，３間を可撓止水継手４により接続する。
（う）  沈下側の第２のプレキャストボックスカルバート３を持ち上げて第１および第２のプレキャストボックスカルバート２，３の上面および下面２ｄ，３ｄが同一平面を形成するように嵩上げし、この嵩上げ状態を第１および第２のプレキャストボックスカルバート２，３を両側面において固定材５により相互に固定する。
このような沈下側のプレキャストボックスカルバート３を嵩上げした状態で軟弱地盤に設置して、固定材５を取り外すことで、例え不等沈下が生じたとしても流路の有効断面積に大きな差が生じることを防止することができるようになる。
【先行技術文献】
【特許文献】
【０００５】
【特許文献１】特開２００４−７６４５１号公報
【発明の概要】
【発明が解決しようとする課題】
【０００６】
このようなプレキャスト可撓ボックスカルバート１では、隣接するプレキャストボックスカルバート２，３間の同一平面とした内周面２ｃ，３ｃに可撓止水継手４を取り付けた後、一方のプレキャストボックスカルバート３を嵩上げすると、可撓止水継手４の伸縮部４ａが嵩上げ量に対応して変位することになり、内側に大きく膨らんでしまうことから、図７（ａ）に示すように、あらかじめアンカーボルトのピッチにあわせて取り付け穴を形成した膨らみ防止布６をプレキャストボックスカルバート２，３の内周の上下と両側とにそれぞれ取り付けるようにしている。
ところが、この膨らみ防止布６によって、図７（ｂ）に示すように、可撓止水継手４の変形が押えられ、変形反力が大きなり、一方のプレキャストボックスカルバート３を持ち上げると、他方のプレキャストボックスカルバート２が持ち上がり、その都度他方のプレキャストボックスカルバート２の上に載荷する必要があるなど、所定の嵩上げ量を確保することが難しくなったり、確保できないという問題がある。
特に、施工現場に運搬した後、嵩上げ作業を必要とする大型のプレキャストボックスカルバートを用いる場合には、一層大きな問題となっている。
【０００７】
この発明は、上記従来技術の問題点に鑑みてなされたもので、嵩上げ時の反力を低減することができ、所定の嵩上げ量を簡単に確保することができるプレキャスト可撓ボックスカルバートおよびその施工法を提供しようとするものである。
【課題を解決するための手段】
【０００８】
上記従来技術の課題を解決するこの発明の請求項１記載のプレキャスト可撓ボックスカルバートは、隣接するプレキャストボックスカルバート間に短筒状の可撓止水継手を連結し、沈下側となる一方のプレキャストボックスカルバートを予め嵩上げして保持したプレキャスト可撓ボックスカルバートにおいて、前記隣接するプレキャストボックスカルバート間の側壁部の前記可撓止水継手の膨らみを押える第1の膨らみ防止用押え部材を、嵩上げ前の隣接するプレキャストボックスカルバート間の一対のアンカーボルトの配列に合わせたボルト穴を備えた短冊状に形成し、当該第１の膨らみ防止用押え部材を隣接するアンカーボルト間に間隔をあけて取り付ける一方、前記隣接するプレキャストボックスカルバート間の一方を嵩上げした状態の前記側壁部のアンカーボルトの配列に合わせた複数対のボルト穴を備えた第２の膨らみ防止用押え部材を略平行四辺形状に形成し、当該第２の膨らみ防止用押え部材を嵩上げ後の前記第1の膨らみ防止用押え部材に重ねてアンカーボルトに取り付け、前記第１および前記第２の膨らみ防止用押え部材を嵩上げ前と嵩上げ後に分けて取り付けて構成したことを特徴とするものである。
【０００９】
この発明の請求項２記載のプレキャスト可撓ボックスカルバートは、請求項１記載の構成に加え、前記隣接するプレキャストボックスカルバートのうち非沈下側のプレキャストボックスカルバートの天井部を、前記沈下側のプレキャストボックスカルバートの天井部よりも沈下量に対応する厚さだけ肉厚とし、前記沈下側のプレキャストボックスカルバートの床部を、非沈下側のプレキャストボックスカルバートの床部よりも沈下量に対応する厚さだけ肉厚とするとともに、嵩上げ状態では前記隣接するプレキャストボックスカルバートの上面および下面が同一平面を形成するように配置したことを特徴とするものである。
【００１０】
この発明の請求項３記載のプレキャスト可撓ボックスカルバートの施工法は、隣接するプレキャストボックスカルバートの目地部間に短筒状の可撓止水継手を連結し、沈下側となる一方のプレキャストボックスカルバートを予め嵩上げした状態に保持するプレキャスト可撓ボックスカルバートの施工法において、前記隣接するプレキャストボックスカルバート目地部間の側壁部の前記可撓止水継手の膨らみを押える第1の膨らみ防止用押え部材を、嵩上げ前の隣接するプレキャストボックスカルバート間の一対のアンカーボルトの配列に合わせたボルト穴を備えた短冊状に形成しておき、当該第１の膨らみ防止用押え部材を隣接するアンカーボルト間に間隔をあけて取り付け、前記隣接するプレキャストボックスカルバート間の一方を嵩上げした状態の前記側壁部のアンカーボルトの配列に合わせた複数対のボルト穴を備えた第２の膨らみ防止用押え部材を略平行四辺形状に形成しておき、嵩上げ状態とした後、当該第２の膨らみ防止用押え部材を前記第１の膨らみ防止用押え部材に重ねてアンカーボルトに取り付け、前記第１および前記第２の膨らみ防止用押え部材を嵩上げ前と嵩上げ後に分けて取り付けるようにしたことを特徴とするものである。
【００１１】
この発明の請求項４記載のプレキャスト可撓ボックスカルバートの施工法は、請求項３記載の構成に加え、前記第２の膨らみ防止用押え部材の一端縁部を、前記第１の膨らみ防止用押え部材の一端縁部に重ねて取り付けた後、嵩上げし、次いで、当該第２の膨らみ防止用押え部材の他端縁部を前記第１の膨らみ防止用押え部材に重ねてアンカーボルトに取り付けるようにしたことを特徴とするものである。
【００１２】
この発明の請求項５記載のプレキャスト可撓ボックスカルバートの施工法は、請求項３または４記載の構成に加え、前記隣接するプレキャストボックスカルバートの目地部間には、一方のプレキャストボックスカルバートの端面に目地材を接着する一方、反接着側となる目地材の端面には、生分解グリースを塗布するようにした後、前記短筒状の可撓止水継手を連結するようにしたことを特徴とするものである。
【００１３】
この発明の請求項６記載のプレキャスト可撓ボックスカルバートの施工法は、請求項３〜５のいずれかに記載の構成に加え、前記隣接するプレキャストボックスカルバートのうち非沈下側のプレキャストボックスカルバートの天井部は、前記沈下側のプレキャストボックスカルバートの天井部よりも沈下量に対応する厚さだけ肉厚とし、前記沈下側のプレキャストボックスカルバートの床部は、非沈下側のプレキャストボックスカルバートの床部よりも沈下量に対応する厚さだけ肉厚に形成しておき、隣接するプレキャストボックスカルバート間の天井部および床部が同一平面を形成するように配置した後、これらプレキャストボックスカルバートの目地部間に前記可撓止水継手を連結するようにし、次いで、隣接するプレキャストボックスカルバートの上面および下面が同一平面を形成するように嵩上げし、嵩上げ状態を固定金具により固定保持するようにしたことを特徴とするものである。
なお、嵩上げとは、隣接するプレキャストボックスカルバートの一方を持ち上げるようにする場合に限らず、他方を下げることにより相対的に一方を持ち上げた状態とする場合の両方を含むものである。
【発明の効果】
【００１４】
この発明の請求項１記載のプレキャスト可撓ボックスカルバートによれば、隣接するプレキャストボックスカルバート間に短筒状の可撓止水継手を連結し、沈下側となる一方のプレキャストボックスカルバートを予め嵩上げして保持したプレキャスト可撓ボックスカルバートにおいて、前記隣接するプレキャストボックスカルバート間の側壁部の前記可撓止水継手の膨らみを押える第1の膨らみ防止用押え部材を、嵩上げ前の隣接するプレキャストボックスカルバート間の一対のアンカーボルトの配列に合わせたボルト穴を備えた短冊状に形成し、当該第１の膨らみ防止用押え部材を隣接するアンカーボルト間に間隔をあけて取り付ける一方、前記隣接するプレキャストボックスカルバート間の一方を嵩上げした状態の前記側壁部のアンカーボルトの配列に合わせた複数対のボルト穴を備えた第２の膨らみ防止用押え部材を略平行四辺形状に形成し、当該第２の膨らみ防止用押え部材を嵩上げ後の前記第1の膨らみ防止用押え部材に重ねてアンカーボルトに取り付け、前記第１および前記第２の膨らみ防止用押え部材を嵩上げ前と嵩上げ後に分けて取り付けて構成したので、嵩上げ前には1対のボルト穴を備えた短冊状の第１の膨らみ防止用押え部材をアンカーボルトの1つおきなど、間隔をあけて取り付けるようにすることで、嵩上げにともなう反力を小さくすると同時に可撓止水継手の膨らみを押えるようにし、嵩上げ後には、嵩上げ状態のアンカーボルトの配列に合わせたボルト穴を複数対形成した略平行四辺形状の第２の膨らみ防止用押え部材を第１の膨らみ防止用押え部材に重ねて取り付けるようにすることで、施工後などその後の可撓止水部材の膨らみを押えることができるようになる。
これにより、第１および第２の膨らみ防止用押え部材を嵩上げ前と嵩上げ後に分けて取り付けることで、取り付けが簡単にできるとともに、嵩上げ反力を低減でき、工場でなくとも現場やその近くで嵩上げ状態にすることができ、大型のプレキャストボックスカルバートへの適用が容易となる。
【００１５】
この発明の請求項２記載のプレキャスト可撓ボックスカルバートによれば、前記隣接するプレキャストボックスカルバートのうち非沈下側のプレキャストボックスカルバートの天井部を、前記沈下側のプレキャストボックスカルバートの天井部よりも沈下量に対応する厚さだけ肉厚とし、前記沈下側のプレキャストボックスカルバートの床部を、非沈下側のプレキャストボックスカルバートの床部よりも沈下量に対応する厚さだけ肉厚とするとともに、嵩上げ状態では前記隣接するプレキャストボックスカルバートの上面および下面が同一平面を形成するように配置したので、隣接するプレキャストボックスカルバートの天井部と床部の肉厚を沈下量に対応して変えることで、嵩上げ状態から沈下しても一層確実に流路の有効断面積を確保することができるとともに、簡単に嵩上げすることができる。
【００１６】
この発明の請求項３記載のプレキャスト可撓ボックスカルバートの施工法によれば、隣接するプレキャストボックスカルバートの目地部間に短筒状の可撓止水継手を連結し、沈下側となる一方のプレキャストボックスカルバートを予め嵩上げした状態に保持するプレキャスト可撓ボックスカルバートの施工法において、前記隣接するプレキャストボックスカルバート目地部間の側壁部の前記可撓止水継手の膨らみを押える第1の膨らみ防止用押え部材を、嵩上げ前の隣接するプレキャストボックスカルバート間の一対のアンカーボルトの配列に合わせたボルト穴を備えた短冊状に形成しておき、当該第１の膨らみ防止用押え部材を隣接するアンカーボルト間に間隔をあけて取り付け、前記隣接するプレキャストボックスカルバート間の一方を嵩上げした状態の前記側壁部のアンカーボルトの配列に合わせた複数対のボルト穴を備えた第２の膨らみ防止用押え部材を略平行四辺形状に形成しておき、嵩上げ状態とした後、当該第２の膨らみ防止用押え部材を前記第１の膨らみ防止用押え部材に重ねてアンカーボルトに取り付け、前記第１および前記第２の膨らみ防止用押え部材を嵩上げ前と嵩上げ後に分けて取り付けるようにしたので、嵩上げ前には1対のボルト穴を備えた短冊状の第１の膨らみ防止用押え部材を形成しておき、アンカーボルトの１つおきなど、間隔をあけて取り付けるようにすることで、嵩上げにともなう反力を小さくすると同時に可撓止水継手の膨らみを押えるようにし、嵩上げ後には、嵩上げ状態のアンカーボルトの配列に合わせたボルト穴を複数対形成した略平行四辺形状の第２の膨らみ防止用押え部材を形成しておき、第１の膨らみ防止用押え部材に重ねて取り付けるようにすることで、施工後などその後の可撓止水部材の膨らみを押えることができるようになる。
これにより、第１および第２の膨らみ防止用押え部材を嵩上げ前と嵩上げ後に分けて取り付けることで、取り付けが簡単にできるとともに、嵩上げ反力を低減でき、工場でなくとも現場やその近くで嵩上げ状態にすることができ、大型のプレキャストボックスカルバートへの適用が容易となる。
【００１７】
この発明の請求項４記載のプレキャスト可撓ボックスカルバートトの施工法によれば、前記第２の膨らみ防止用押え部材の一端縁部を、前記第１の膨らみ防止用押え部材の一端縁部に重ねて取り付けた後、嵩上げし、次いで、当該第２の膨らみ防止用押え部材の他端縁部を前記第１の膨らみ防止用押え部材に重ねてアンカーボルトに取り付けるようにしたので、第１の膨らみ防止用押え部材の取り付けの際に第２の膨らみ防止用押え部材の一端縁部を重ねてアンカーボルトに取り付けることで、嵩上げ後には、他端縁部を重ねて取り付けるだけでよく、施工工数を削減することができる。
【００１８】
この発明の請求項５記載のプレキャスト可撓ボックスカルバートの施工法によれば、前記隣接するプレキャストボックスカルバートの目地部間には、一方のプレキャストボックスカルバートの端面に目地材を接着する一方、反接着側となる目地材の端面には、生分解グリースを塗布するようにした後、前記短筒状の可撓止水継手を連結するようにしたので、生分解グリースによって目地部の嵩上げ反力を低減でき、第１，２の膨らみ防止用押え部材の使用による低減に加え、一層嵩上げ反力を低減することができる。
【００１９】
この発明の請求項６記載のプレキャスト可撓ボックスカルバートの施工法によれば、前記隣接するプレキャストボックスカルバートのうち非沈下側のプレキャストボックスカルバートの天井部は、前記沈下側のプレキャストボックスカルバートの天井部よりも沈下量に対応する厚さだけ肉厚とし、前記沈下側のプレキャストボックスカルバートの床部は、非沈下側のプレキャストボックスカルバートの床部よりも沈下量に対応する厚さだけ肉厚に形成しておき、隣接するプレキャストボックスカルバート間の天井部および床部が同一平面を形成するように配置した後、これらプレキャストボックスカルバートの目地部間に前記可撓止水継手を連結するようにし、次いで、隣接するプレキャストボックスカルバートの上面および下面が同一平面を形成するように嵩上げし、嵩上げ状態を固定金具により固定保持するようにしたので、隣接するプレキャストボックスカルバートの天井部と床部の肉厚を沈下量に対応して変えることで、嵩上げ状態から沈下しても一層確実に流路の有効断面積を確保することができるとともに、固定金具によって連結固定することで、簡単に嵩上げ状態を保持することができる。
【図面の簡単な説明】
【００２０】
【図１】この発明のプレキャスト可撓ボックスカルバートおよびその施工法の一実施の形態にかかり、（ａ）は第１の膨らみ防止用押え部材の正面図および平面図、（ｂ）は第２の膨らみ防止用押え部材の正面図および平面図である。
【図２】この発明のプレキャスト可撓ボックスカルバートおよびその施工法の一実施の形態にかかり、（ａ）は第１の膨らみ防止用押え部材の取付状態の正面図、（ｂ）は嵩上げ後の状態の拡大正面図である。
【図３】この発明のプレキャスト可撓ボックスカルバートおよびその施工法の一実施の形態にかかり、床部における（又は天井部）（ａ）は第２の膨らみ防止用押え部材の取付状態の断面図、（ｂ）は嵩上げ後の状態の断面図である。
【図４】この発明のプレキャスト可撓ボックスカルバートおよびその施工法の一実施の形態にかかる第２の膨らみ防止用押え部材の取付状態の拡大正面図である。
【図５】この発明のプレキャスト可撓ボックスカルバートおよびその施工法の一実施の形態にかかる嵩上げ前の状態の部分断面図である。
【図６】この発明のプレキャスト可撓ボックスカルバートおよびその施工法の一実施の形態にかかる嵩上げ後の状態の部分断面図である。
【図７】従来のプレキャスト可撓ボックスカルバートにかかり、（ａ）は膨らみ防止布の正面図および平面図、（ｂ）は嵩上げ後の状態の断面図である。
【発明を実施するための形態】
【００２１】
以下、この発明を実施するための形態について図面を参照して詳細に説明する。
このプレキャスト可撓ボックスカルバート１０では、例えば杭基礎などの剛支持構造とされた堤防下の樋管を構成する既設ボックスカルバートに継ぎ足す場合に使用されるものであり、継ぎ足される一方のプレキャストボックスカルバート２が杭基礎などの剛構造で支持され、このプレキャストボックスカルバート２に可撓止水継手４を介して連結されて隣接するプレキャストボックスカルバート３は軟弱地盤に設置されるものとする。したがって、プレキャストボックスカルバート３が沈下側であり、嵩上げ側となる。
【００２２】
第１のプレキャストボックスカルバート２では、図５に示したように、天井部２ａの厚さは第２のプレキャストボックスカルバート３の天井部３ａよりも所定の厚さ、例えば想定した沈下量に対応した厚さΔｈだけ肉厚に形成してある。
また、第２のプレキャストボックスカルバート３の床部３ｂでは、第１のプレキャストボックスカルバート２の床部２ｂよりも所定の厚さ、例えば想定した沈下量に対応した厚さΔｈだけ肉厚に形成してある。
したがって、隣接する第１、第２のプレキャストボックスカルバート２，３では、その外周面である上面および下面２ｄ、３ｄが同一平面を形成するように配置した場合には、図６に示すように、第２のプレキャストボックスカルバート３の天井部３ａおよび床部３ｂは第１のプレキャストボックスカルバート２の天井部２ａおよび床面２ｂよりも、例えば沈下量に対応した肉厚Δｈだけ高い状態になる。
一方、隣接する第１、第２のプレキャストボックスカルバート２，３では、その内周面２ｃ，３ｃが同一平面を形成するように配置した場合には、図５に示すように、第２のプレキャストボックスカルバート３の外周面である上面および下面３ｄが第１のプレキャストボックスカルバート２の外周面である上面および下面２ｄよりも、例えば沈下量に対応した肉厚Δｈだけ低い状態になる。
【００２３】
そこで、このプレキャスト可撓ボックスカルバート１０では、隣接する第１、第２のプレキャストボックスカルバート２，３の内周面２ｃ，３ｃが同一平面を形成するように配置した状態で、内周面２ｃ，３ｃに可撓止水継手４を連結するようにし、この後、沈下側となる第２のプレキャストボックスカルバート３を嵩上げして、その外周面である上下面２ｄ，３ｄが同一平面を形成するようにし、この嵩上げ状態を固定金具としての固定材５を取り付けて保持した状態で施工する。
そして、施工後、固定材５を取り外すと、軟弱地盤により比較的早い段階で、第２のプレキャストボックスカルバート３が沈下することになり、この沈下によって隣接する第１、第２のプレキャストボックスカルバート２，３の内周面２ｃ，３ｃが同一平面を形成する傾向となり、想定した沈下量となると、流路の断面積が有効に確保できるようになる。
【００２４】
このようなプレキャスト可撓ボックスカルバート１０に用いられる可撓止水継手４は、例えば図３に示すように、ゴムや合成樹脂などの可撓性材料で構成された短筒状とされ、横断面方向の内側の中央部に折畳まれた伸縮部４ａが形成され、その両端部に取付け部４ｂ、４ｃが形成されている。
そして、この可撓止水継手４は、第１、第２のプレキャストボックスカルバート２，３の隣接する側の内周端部に形成された段差部２ｅ、３ｅに埋め込まれたアンカーボルト７に押え板８を介してワッシャー、ナット９によって取り付けられる。
【００２５】
この可撓止水継手４の取り付けの際には、伸縮部４ａの内側への膨らみを押えるため、膨らみ防止用押え部材が取り付けられる。
これまでは、膨らみ防止用押え部材として、図７（ａ）に示すような予めアンカーボルトのピッチにあわせて複数対の取り付け穴を形成した膨らみ防止布６を用意し、プレキャストボックスカルバート２，３の内周の上下と両側とにそれぞれ可撓止水継手４のアンカーボルト７への取り付けの際、押え板８の間に挟み込むようにして取り付けていた。しかし、この膨らみ防止布６では、プレキャストボックスカルバート３をプレキャストボックスカルバート２に対して持ち上げて嵩上げする場合、あるいは、逆にプレキャストボックスカルバート２を下げるようにして相対的にプレキャストボックスカルバート３を持ち上げた状態に嵩上げする場合に、嵩上げの反力が大きくなって予め定めた嵩上げ量を確保することが困難なことがあった。
【００２６】
このプレキャスト可撓ボックスカルバート１０では、膨らみ防止用押え部材として、隣接する第１、第２のプレキャストボックスカルバート２，３の側壁部に対して、プレキャストボックスカルバートの嵩上げ前と、嵩上げ後とで異なる膨らみ防止用押え部材を用いることとし、嵩上げ前の膨らみ防止用押え部材を第１の膨らみ防止用押え部材１１、嵩上げ後の膨らみ防止用押え部材を第２の膨らみ防止用押え部材１２とした２種類を用意する。
なお、隣接する第１、第２のプレキャストボックスカルバート２，３の天井部２ａ，３ａおよび床部２ｂ，３ｂに対しては、これまでと同様、膨らみ防止用押え部材としてシート状の膨らみ防止布６が用いられる。
【００２７】
第１の膨らみ防止用押え部材１１は、図１(ａ)に示すように、例えば合成繊維で作られ、隣接する第１、第２のプレキャストボックスカルバート２，３の内周面２ｃ，３ｃを同一平面として可撓止水継手４を連結した状態の第１、第２のプレキャストボックスカルバート２，３のアンカーボルトの一対の配列に合わせたボルト穴１１ａが両端に形成された短冊状(矩形状)とされている。
この第１の膨らみ防止用押え部材１１は、例えば２プライの合成樹脂繊維の布とされるが、嵩上げの際の可撓止水継手４の伸縮部４ａが内側に過度に膨らむことが防止できれば良く、３プライ以上としてさらに強度を上げたものや素材の異なるものであっても良い。
【００２８】
第２の膨らみ防止用押え部材１２は、図１(ｂ)および図３(ａ)(ｂ)に示すように、例えば合成繊維で作られ、隣接する第１、第２のプレキャストボックスカルバート２，３の外周面２ｄ，３ｄが同一平面となるように可撓止水継手４を連結したまま嵩上げした状態の第１、第２のプレキャストボックスカルバート２，３のアンカーボルトの複数対の配列に合わせたボルト穴１２ａが両端に形成されたシート状とされ、幅方向の中央部に略Ω状の折返し部１２ｂが１箇所又は２箇所形成され、この折返し部１２ｂを折り重ねた外側に跨るように当て布１２ｃが接着剤などで取り付けてある。
この第２の膨らみ防止用押え部材１２の大きさは、隣接する第１、第２のプレキャストボックスカルバート２，３の側壁部を１枚で対応できる大きさとしたり、大型のプレキャストボックスカルバートに適用する場合には、複数枚で対応できるようにしても良い。
【００２９】
次に、このような第１，２の膨らみ防止用押え部材１１，１２を用いたプレキャスト可撓ボックスカルバート１０の施工法について説明する。
このプレキャスト可撓ボックスカルバート１０の施工法は、隣接する第１、第２のプレキャストボックスカルバート２，３の間に可撓止水継手４を取り付けて連結した後、第２のプレキャストボックスカルバート３を嵩上げ状態として保持するまでの施工であり、嵩上げ状態としたプレキャスト可撓ボックスカルバート１０は、これまでと同様に、設置される。
【００３０】
（あ  ）このプレキャスト可撓ボックスカルバート１０の施工法では、隣接する第１、第２のプレキャストボックスカルバート２，３の対向する端面（目地部）に環状の発泡ゴム製などの目地材１３が介装され、ここでは、第２のプレキャストボックスカルバート３の端面にゴム系接着剤で目地材１３が固定され、第１のプレキャストボックスカルバート２の端面と対向する目地材１３の端面に生分解グリース１４が塗布される。
【００３１】
（い）  この後、第１、第２のプレキャストボックスカルバート２，３を向かい合わせて固定架台および昇降架台上に据え付け、隣接する第１、第２のプレキャストボックスカルバート２，３の内周面２ｃ，３ｃが同一平面を形成するように配置した状態とする。
【００３２】
（う）  隣接する第１、第２のプレキャストボックスカルバート２，３の内周面２ｃ，３ｃが同一平面を形成するように配置された状態の内周面２ｃ，３ｃに可撓止水継手４を全周に連結するようにし、天井部２a，３aおよび床部２b、３bでは、可撓止水継手４の取付け部４b，４cに跨るようにアンカーボルト７にこれまでの膨らみ防止布６を挟み込んで押え板８を当ててワッシャー、ナット９で取り付ける。
一方、隣接する第１、第２のプレキャストボックスカルバート２，３の内周面２ｃ，３ｃが同一平面とされた側壁部では、図２（ａ）および図３（ａ）に示すように、可撓止水継手４の取付け部４ｂ，４cをアンカーボルト７，７に取り付けると同時、例えばアンカーボルト７のピッチの１本おきに第１の膨らみ防止用押え部材１１を当て、その上から押え板８を当ててワッシャー、ナット９で締め付ける。
【００３３】
（え）  この後、沈下側となる第２のプレキャストボックスカルバート３を嵩上げして、その外周面である上下面２ｄ，３ｄが同一平面を形成するようにする。
この嵩上げでは、沈下側となる第２のプレキャストボックスカルバート３をジャッキや重機などで持ち上げるようにして嵩上げするようにしたり、逆に、剛支持側となる第１のプレキャストボックスカルバート２の自重や載荷するなどで下降させることで相対的に嵩上げするようにする。
この沈下側となる第２のプレキャストボックスカルバート３を持ち上げるようにして嵩上げすると、隣接する第１、第２のプレキャストボックスカルバート２，３の天井部２ａ，３ａおよび床部２ｂ，３ｂに嵩上げ量に相当する段差が生じ、可撓止水継手４がせん断されるように変形することになるが、第１の膨らみ防止用押え部材１１が短冊状とされ、アンカーボルト７のピッチの１つおきに取り付けてあるので、図２（ｂ）に拡大して示すように、各第１の膨らみ防止用押え部材１１が斜めになって大きな反力が生じることがなく、嵩上げにともなう反力を軽減することができ、小さな力で簡単に嵩上げすることができるとともに、図３（ｂ）に示すように、嵩上げにともなう可撓止水継手４の膨らみを第１の膨らみ防止用押え部材１１で有効に押えることができる。
また、目地材１３と第１のプレキャストボックスカルバート２との間に生分解グリース１４を塗布してあるので、この間の摩擦抵抗を減らすことができ、一層小さな力で嵩上げすることができる。
【００３４】
（お）  こうして隣接する第１、第２のプレキャストボックスカルバート２，３を嵩上げ状態とした後、この嵩上げ状態を固定金具としての固定材５を隣接する第１、第２のプレキャストボックスカルバート２，３の外側壁に取り付けて保持した状態とする。
【００３５】
（か）  これと並行して、隣接する第１、第２のプレキャストボックスカルバート２，３の内周面２ｃ，３ｃの側壁部では、可撓止水部材４の片側の取付け部４ｂを固定するワッシャー、ナット９を弛めて押え板８を外し、第１の膨らみ防止用押え部材１１に重ねて第２の膨らみ防止用押え部材１２を当て、第１および第２の膨らみ防止用押え部材１１，１２の上から押え板８を当てて再びワッシャー、ナット９で締め付けた後、反対側についても同様に、第１の膨らみ防止用押え部材１１に重ねて第２の膨らみ防止用押え部材１２を取り付ける（図４参照）。
このような第２の膨らみ防止用押え部材１２を嵩上げ状態のアンカーボルト７のピッチに合わせたボルト穴１２ａを形成したシート状としてあるので、そのまま簡単に取り付けることができる。
これにより、嵩上げ状態としたプレキャスト可撓ボックスカルバート１０を、これまでと同様に、第２の膨らみ防止用押え部材１２で設置した後の可撓止水継手４の伸縮部４ａの膨らみを押えることができる。
【００３６】
なお、上記の実施の形態では、嵩上げ前に第１の膨らみ防止用押え部材１１を取り付け、嵩上げ後に第２の膨らみ防止用押え部材１２を重ねて取り付けるようにしたが、嵩上げ前に、第１の膨らみ防止用押え部材１１に重ねて第２の膨らみ防止用押え部材１２の片側だけを取り付けておき、嵩上げ後に第２の膨らみ防止用押え部材１２の反対側を第１の膨らみ防止用押え部材１１に重ねて取り付けるようにすることもでき、ワッシャー、ナット９の取外しの回数を低減することができ、効率的に施工することができる。
【００３７】
このようなプレキャスト可撓ボックスカルバート１０およびその施工法によれば、目地材１３の端面に生分解グリース１４を塗布するようにしたので、嵩上げ変形時の第１のプレキャストボックスカルバート２と目地材１３との接触面に生じる動摩擦を低減することができ、例えば従来に比べ摩擦量を約１／４に低減することができるとともに、環境への影響を極力抑えることができる。
また、嵩上げ前には、第１の膨らみ防止用押え部材１１を用いることで、プレキャストボックスカルバート２，３の側壁部の嵩上げ（せん断変形）時には、変形抵抗の低減と、可撓止水継手４の捩れや膨出量を最小限に抑えることができるとともに、可撓止水継手４の変形に干渉（拘束）しない程度の弛み量を持たせておくことで、嵩上げ（横せん断）変形時においても変位反力を低減することが可能となった。
さらに、嵩上げ（せん断）変形が終了した後、ボルト穴１２ａのピッチをずらした第２の膨らみ防止用押え部材１２を使用することにより、プレキャストボックスカルバート２，３の側壁部への取り付けが、嵩上げ後で表面に捩れが発生せず、容易に行える。
また、嵩上げ時の変位反力を低減することにより、大掛かりな設備を必要とせず、大断面のプレキャストボックスカルバートでも施工現場に単独で運搬した後、現地で可撓止水継手４の取り付けや嵩上げ作業を行うことが可能となり、大型物件にも対応することができる。
【００３８】
なお、可撓止水継手４は図示例の形状のものに限らず、例えば略Ｕ字状および略Ｕ字状の伸縮部を交互に３つ配置したものなど他の種々の形状のものを使用することができる。
また、この発明にかかるプレキャスト可撓ボックスカルバートおよびその施工法は、堤防を横断して設置された既設の樋管等の既設のボックスカルバートの継ぎ足しに限らず、その他軟弱地盤における既設および新設のボックスカルバートの接続用に広く適用することができる。
【符号の説明】
【００３９】
１、１０    プレキャスト可撓ボックスカルバート
２          プレキャストボックスカルバート
３          プレキャストボックスカルバート
２ａ、３ａ          天井部
２ｂ、３ｂ          床部
２ｃ、３ｃ          内周面
２ｄ、３ｄ          上下面
２ｅ，３ｅ          段差部
４            可撓止水継手
４ａ          伸縮部
４ｂ、４ｃ    取付け部
５            固定材（固定金具）
６            膨らみ防止布
７            アンカーボルト
８            押え板
９            ワッシャー、ナット
１１          第１の膨らみ防止用押え部材
１１ａ        ボルト穴
１２          第２の膨らみ防止用押え部材
１２ａ        ボルト穴
１２ｂ        折返し部
１２ｃ        当て布
１３          目地材
１４          生分解グリース
【図１】
0005771824.tif 000002
【図２】
0005771824.tif 000003
【図３】
0005771824.tif 000004
【図４】
0005771824.tif 000005
【図５】
0005771824.tif 000006
【図６】
0005771824.tif 000007
【図７】
0005771824.tif 000008